(57)【要約】【課題】  燃料電池の冷却あるいは暖機を行う際に、簡易な構成で感電等を防ぐことが可能な燃料電池システムを提供する。【解決手段】  水素と酸素とを電気化学反応させて電気エネルギを発生する燃料電池１０と、熱媒体を用いて燃料電池１０との間で熱交換を行う１以上の熱交換器１０１、１０２とを備える燃料電池システムにおいて、燃料電池１０と熱交換器１０１、１０２との間に設けられた絶縁層１０３、１０４とを設ける。燃料電池１０は、水素と酸素とを電気化学反応させて電気エネルギを発生するセルを複数枚積層して構成されており、熱交換器１０１、２０１を、セルの積層方向と平行に絶縁層１０３、１０４を介してセルそれぞれに接するように配置する。【選択図】        図１
2005123073.tif 000002
【特許請求の範囲】
【請求項１】
水素と酸素とを電気化学反応させて電気エネルギを発生する燃料電池（１０）と、
熱媒体を用いて前記燃料電池（１０）との間で熱交換を行う１以上の熱交換器（１０１、１０２、２０１、２０２）と、
前記燃料電池（１０）と前記熱交換器（１０１、１０２、２０１、２０２）との間に設けられた絶縁層（１０３、１０４、２０３、２０４）とを備えることを特徴とする燃料電池システム。
【請求項２】
前記燃料電池（１０）は、水素と酸素とを電気化学反応させて電気エネルギを発生するセルを複数枚積層して構成されており、
前記熱交換器（１０１、１０２、２０１、２０２）は、前記セルの積層方向と平行に前記絶縁層（１０３、１０４、２０３、２０４）を介して前記セルそれぞれに接するように配置されていることを特徴とする請求項１に記載の燃料電池システム。
【請求項３】
少なくとも１つの前記熱交換器（１０１、２０１）に熱媒体を循環させる熱媒体流路（２０、２８）と、前記熱媒体を圧送する熱媒体循環手段（２１）とを備えることを特徴とする請求項１または２に記載の燃料電池システム。
【請求項４】
前記熱媒体流路（２０）に設けられ、前記熱媒体を放熱させる放熱器（２２）を備え、前記放熱器（２２）にて放熱された熱媒体を前記熱交換器（１０１、１０２、２０１、２０２）に導入することを特徴とする請求項３に記載の燃料電池システム。
【請求項５】
前記熱媒体流路（２８）に設けられ、前記熱媒体を加熱する熱媒体加熱手段（３０）を備え、前記熱媒体加熱手段（３０）にて加熱された熱媒体を前記熱交換器（１０１、２０１）に導入することを特徴とする請求項３または４に記載の燃料電池システム。
【請求項６】
前記熱交換器（１０１、１０２、２０１、２０２）は複数設けられており、前記熱媒体加熱手段（３０）にて加熱された熱媒体を前記複数の熱交換器（１０１、１０２、２０１、２０２）のうち所定の熱交換器（１０１、２０１）にのみに供給することで、前記燃料電池（１０）のうち前記所定の熱交換器（１０１、２０１）に対向する部位を優先的に加熱することを特徴とする請求項５に記載の燃料電池システム。
【請求項７】
前記熱媒体流路（２０）は、前記複数の熱交換器（２０１、２０２）のそれぞれに熱媒体を供給可能に構成されているとともに、前記熱媒体流路（２０）には熱媒体を前記所定の熱交換器（２０１）のみに供給可能な熱媒体流路切替手段（３２）を備えていることを特徴とする請求項６に記載の燃料電池システム。
【請求項８】
前記熱交換器（１０１）に接するように配置された熱交換器加熱手段（１１０）を備えていることを特徴とする請求項１ないし７のいずれか１つに記載の燃料電池システム。
【請求項９】
前記熱交換器（１０１、１０２）は、その内部の一部に冷媒を封入して構成され、前記熱交換器（１０１）には前記燃料電池（１０）の熱により沸騰して蒸気となった冷媒を凝縮させる凝縮手段（１０７、１０１ｂ、１０１ｃ）が設けられていることを特徴とする請求項１ないし８のいずれか１つに記載の燃料電池システム。
【請求項１０】
前記燃料電池（１０）は移動体に搭載されるものであり、
前記凝縮手段（１０１ｂ、１０１ｃ）は前記熱交換器（１０１）の外部に設けられたフィン（１０１ｃ）を備えており、
前記熱交換器（１０１）の外部に設けられたフィン（１０１ｃ）には前記移動体の走行風が供給されることを特徴とする請求項９に記載の燃料電池システム。
【請求項１１】
前記凝縮手段（１０７）には前記熱媒体加熱手段（３０）にて加熱された熱媒体が導入されるように構成されており、
前記凝縮手段（１０７）は前記熱交換器（１０１）と熱伝導部材（１０８）にて接続されていることを特徴とする請求項９に記載の燃料電池システム。
【請求項１２】
前記熱交換器（１０１、１０２）は、前記燃料電池（１０）における対向する側面に配置された２つの熱交換器（１０１、１０２）を含み、
前記２つの熱交換器（１０１、１０２）はフレキシブル配管で接続され、内部が連通していることを特徴とする請求項９ないし１１のいずれか１つに記載の燃料電池システム。
【請求項１３】
前記熱交換器に封入する冷媒が水であることを特徴とする請求項９ないし１２のいずれか１つに記載の燃料電池システム。
【請求項１４】
前記２つの熱交換器（１０１、１０２）の一方は、前記燃料電池（１０）の下面に配置されており、
下面側の前記熱交換器（１０２）内部における前記燃料電池（１０）と対向する面には、周縁部に向けて上方に傾斜する傾斜部（１０２ｂ）が設けられていることを特徴とする請求項８から１３のいずれか１つに記載の燃料電池システム。
【請求項１５】
前記熱交換器（１０１、１０２、２０１、２０２）内部における前記燃料電池（１０）に対向する面において、前記燃料電池（１０）におけるセル積層方向の中央付近に対応する部位の面粗度を他の部位より大きくすることを特徴とする請求項１ないし１４のいずれか１つに記載の燃料電池システム。
【請求項１６】
前記熱交換器（１０１、１０２、２０１、２０２）における前記絶縁層（１０３、１０４、２０３、２０４）に接する表面には、絶縁処理が施されていることを特徴とする請求項１から１５のいずれか１つに記載の燃料電池システム。
【請求項１７】
前記熱交換器（１０１、１０２、２０１、２０２）はアルミニウムから構成されており、前記絶縁処理はアルマイト処理であることを特徴とする請求項１６に記載の燃料電池システム。
【請求項１８】
水素と酸素とを電気化学反応させて電気エネルギを発生させる燃料電池（１０）と、
前記燃料電池（１０）を加熱する１以上の燃料電池加熱手段（３０１、３０２）と、
前記燃料電池（１０）と前記燃料電池加熱手段（３０１、３０２）との間に設けられた絶縁層（３０３、３０４）とを備えることを特徴とする燃料電池システム。
【請求項１９】
前記絶縁層（１０３、１０４、２０３、２０４、３０３、３０４）がシリコーン系材料から構成されていることを特徴とする請求項１から１８のいずれか１つに記載の燃料電池システム。
【発明の詳細な説明】
【技術分野】
【０００１】
本発明は、水素と酸素との化学反応により電気エネルギーを発生させる燃料電池を備える燃料電池システムに関するもので、特に燃料電池の冷却／加熱構造に関する。
【背景技術】
【０００２】
燃料電池を冷却あるいは暖機する方法として、各セルのセパレータに冷却液流路を設けその冷却液流路に冷却液を流すことで燃料電池を冷却あるいは暖機する方法が知られている（例えば、特許文献１参照）。また、低温起動時に燃料電池の一部分を優先的に加熱するための冷却液流路を設けることで、燃料電池の起動性向上を狙った燃料電池システムも提案されている（例えば、特許文献２参照）。
【特許文献１】特開２００２−１１７８７６号公報
【特許文献２】特開２００２−３１３３９２号公報
【発明の開示】
【発明が解決しようとする課題】
【０００３】
ところが、上記特許文献１に記載の燃料電池システムでは、各セルのセパレータに冷却流路を設けているので構造が複雑になる。また、各セル毎に設けられた冷却液流路をシールする機構も必要であった。さらに電極であるセパレータに直接冷却液が流れるので、感電や漏電を考えると冷却液の導電率を低くする必要があり、冷却回路中にイオン交換樹脂を取り付ける必要があった。このため、燃料電池を車両等の移動体用電源として用いる場合にはイオン交換樹脂の搭載スペースが必要となるといった問題があり、さらにイオン交換樹脂の定期交換等のメンテナンスが必要であるという問題があった。
【０００４】
また、上記特許文献２に記載の燃料電池システムにおいても、燃料電池冷却のために各セル毎に冷却液流路が設けられており、さらに燃料電池の一部加熱のための冷却液流路を設けているため、燃料電池構成が複雑となっている。
【０００５】
本発明は、上記点に鑑み、燃料電池の冷却あるいは暖機を行う際に、簡易な構成で感電等を防ぐことが可能な燃料電池システムを提供することを目的とする。
【課題を解決するための手段】
【０００６】
上記目的を達成するため、請求項１に記載の発明では、水素と酸素とを電気化学反応させて電気エネルギを発生する燃料電池（１０）と、熱媒体を用いて燃料電池（１０）との間で熱交換を行う１以上の熱交換器（１０１、１０２、２０１、２０２）と、燃料電池（１０）と熱交換器（１０１、１０２、２０１、２０２）との間に設けられた絶縁層（１０３、１０４、２０３、２０４）とを備えることを特徴としている。
【０００７】
このように、燃料電池（１０）の側面より絶縁層（１０３、１０４、２０３、２０４）を介して冷却を行うことで、各セルのセパレータに冷却流路を設ける必要がなく、セパレータに冷却液シール構造を設ける必要もない。これにより、燃料電池（１０）の構成を簡素にすることができる。
【０００８】
また、電極であるセパレータに直接冷却液が流れず、絶縁層（１０３、１０４、２０３、２０４）によって、電極と冷却液とを絶縁できるので、感電や漏電のおそれがなく、冷却液の導電率を低く保つ必要がない。したがって、熱媒体として自動車用に使用されている通常の冷却液（ＬＬＣ）を使用することが可能となり、冷却液回路中にはイオン交換樹脂を取り付ける必要もない。このため、冷却液経路にイオン交換樹脂を設ける必要がなく、イオン交換樹脂の搭載スペースが不要となり、イオン交換樹脂の定期交換等のメンテナンスを行う必要もない。
【０００９】
また、請求項２に記載の発明では、燃料電池（１０）は、水素と酸素とを電気化学反応させて電気エネルギを発生するセルを複数枚積層して構成されており、熱交換器（１０１、１０２、２０１、２０２）は、セルの積層方向と平行に絶縁層（１０３、１０４、２０３、２０４）を介してセルそれぞれに接するように配置されていることを特徴としている。これにより、熱交換器（１０１、１０２、２０１、２０２）を介して各セルを均等に冷却あるいは加熱を行うことができる。
【００１０】
また、請求項３に記載の発明では、少なくとも１つの熱交換器（１０１、２０１）に熱媒体を循環させる熱媒体流路（２０、２８）と、熱媒体を圧送する熱媒体循環手段（２１）とを備えることを特徴としている。
【００１１】
また、請求項４に記載の発明のように、熱媒体流路（２０）に設けられ、熱媒体を放熱させる放熱器（２２）を備え、放熱器（２２）にて放熱された熱媒体を熱交換器（１０１、１０２、２０１、２０２）に導入することで、燃料電池（１０）を冷却することができる。
【００１２】
また、請求項５に記載の発明のように、熱媒体流路（２８）に設けられ、熱媒体を加熱する熱媒体加熱手段（３０）を備え、加熱手段（３０）にて加熱された熱媒体を熱交換器（１０１、２０１）に導入することで、燃料電池（１０）を加熱することができる。
【００１３】
また、請求項６に記載の発明では、熱交換器（１０１、１０２、２０１、２０２）は複数設けられており、熱媒体加熱手段（３０）にて加熱された熱媒体を複数の熱交換器（１０１、１０２、２０１、２０２）のうち所定の熱交換器（１０１、２０１）にのみに供給することで、燃料電池（１０）のうち所定の熱交換器（１０１、２０１）に対向する部位を優先的に加熱することを特徴としている。これにより、簡素な構成で燃料電池（１０）の特定の領域を優先的に昇温させ、起動性を向上させることができる。
【００１４】
具体的には、請求項７に記載の発明のように、熱媒体流路（２０）は、複数の熱交換器（２０１、２０２）のそれぞれに熱媒体を供給可能に構成されているとともに、熱媒体流路（２０）には熱媒体を所定の熱交換器（２０１）のみに供給可能な熱媒体流路切替手段（３２）を備えるように構成できる。
【００１５】
また、請求項８に記載の発明では、熱交換器（１０１）に接するように配置された熱交換器加熱手段（１１０）を備えていることを特徴としている。これにより、熱媒体を介さず、加熱手段（１１０）の熱を熱交換器（１０１）に伝え、燃料電池（１０）に伝えることができる。
【００１６】
また、請求項９に記載の発明では、熱交換器（１０１、１０２）は、その内部の一部に冷媒を封入して構成され、熱交換器（１０１）には燃料電池（１０）の熱により沸騰して蒸気となった冷媒を凝縮させる凝縮手段（１０７、１０１ｂ、１０１ｃ）が設けられていることを特徴としている。このような熱伝導率が高い沸騰冷却器を用いることで、燃料電池（１０）の冷却効率を向上させることができる。
【００１７】
また、請求項１０に記載の発明では、燃料電池（１０）は移動体に搭載されるものであり、凝縮手段（１０１ｂ、１０１ｃ）は熱交換器（１０１）の外部に設けられたフィン（１０１ｃ）を備えており、熱交換器（１０１）の外部に設けられたフィン（１０１ｃ）には移動体の走行風が供給されることを特徴としている。このように凝縮手段（１０１ｂ、１０１ｃ）を空冷とすることで、燃料電池（１０）の冷却系の構成を簡素にすることができる。
【００１８】
また、請求項１１に記載の発明では、凝縮手段（１０７）には熱媒体加熱手段（３０）にて加熱された熱媒体が導入されるように構成されており、凝縮手段（１０７）は熱交換器（１０１）と伝熱部材（１０８）にて接続されていることを特徴としている。これにより、凝縮手段（１０７）に導入された熱媒体の熱を熱伝導部材（１０８）を介して熱交換器（１０１）に伝えることができる。
【００１９】
また、請求項１２に記載の発明のように、熱交換器（１０１、１０２）は、燃料電池（１０）における対向する側面に配置された２つの熱交換器（１０１、１０２）を含み、２つの熱交換器（１０１、１０２）はフレキシブル配管で接続され、内部が連通するように構成することができる。
【００２０】
また、請求項１３に記載の発明では、熱交換器に封入する冷媒として、蒸発潜熱も大きく冷媒として性能が優れているだけでなく、自然冷媒であるので対環境性に優れている水を用いている。
【００２１】
また、請求項１４に記載の発明では、２つの熱交換器（１０１、１０２）の一方は、燃料電池（１０）の下面に配置されており、下面側の熱交換器（１０２）内部における燃料電池（１０）と対向する面には、周縁部に向けて上方に傾斜する傾斜部（１０２ｂ）が設けられていることを特徴としている。これにより、下面側の熱交換器（１０２）内部で冷媒が沸騰した際、発生した気泡が抜けやすくなり、気泡が中央部に溜まるのを防ぐことができる。
【００２２】
また、請求項１５に記載の発明では、熱交換器（１０１、１０２、２０１、２０２）内部における燃料電池（１０）に対向する面において、燃料電池（１０）におけるセル積層方向の中央付近に対応する部位の面粗度を他の部位より大きくすることを特徴としている。これにより、他の部位より熱が逃げにくい部位である燃料電池（１０）のセル積層方向の中央付近を優先的に冷却することができる
また、請求項１６に記載の発明では、熱交換器（１０１、１０２、２０１、２０２）における絶縁層（１０３、１０４、２０３、２０４）に接する表面には、絶縁処理が施されていることを特徴としている。これにより、絶縁層（１０３、１０４、２０３、２０４）および熱交換器（１０１、１０２、２０１、２０２）側の絶縁膜とで二重に絶縁層が形成されることとなり、感電および漏電に対する安全性を向上させることができる。
【００２３】
具体的には、請求項１７に記載の発明のように、熱交換器（１０１、１０２、２０１、２０２）はアルミニウムから構成されており、絶縁処理はアルマイト処理とすることができる。
【００２４】
また、請求項１８に記載の発明では、水素と酸素とを電気化学反応させて電気エネルギを発生させる燃料電池（１０）と、燃料電池（１０）を加熱する１以上の燃料電池加熱手段（３０１、３０２）と、燃料電池（１０）と燃料電池加熱手段（３０１、３０２）との間に設けられた絶縁層（３０３、３０４）とを備えることを特徴としている。これにより、加熱手段（３００）と燃料電池（１０）との間でショートを防止できるといった効果を得ることができる。
【００２５】
また、請求項１９に記載の発明のように、絶縁層（１０３、１０４、２０３、２０４、３０３、３０４）をシリコーン系材料から構成することで、絶縁層の取付面に凹凸がある場合にも、取付面への密着性を向上させることができる。
【００２６】
なお、上記各手段の括弧内の符号は、後述する実施形態に記載の具体的手段との対応関係を示すものである。
【発明を実施するための最良の形態】
【００２７】
（第１実施形態）
以下、本発明の第１実施形態について図１、図２に基づいて説明する。本第１実施形態は、本発明の燃料電池システムを燃料電池を電源として走行する電気自動車（燃料電池車両）に適用したものである。
【００２８】
図１は、本第１実施形態の燃料電池システムの概略構成を示す概念図である。図１に示すように、本第１実施形態の燃料電池システムは、水素と酸素との電気化学反応を利用して電力を発生する燃料電池（ＦＣスタック）１０を備えている。燃料電池１０は、図示しない車両走行用の電動モータや２次電池などの電気機器に電力を供給するように構成されている。燃料電池１０では、以下の水素と酸素の電気化学反応が起こり電気エネルギが発生する。
【００２９】
アノード（水素極）：Ｈ２→２Ｈ＋＋２ｅ−
カソード（酸素極）：２Ｈ＋＋１／２Ｏ２＋２ｅ−→Ｈ２Ｏ
全体の反応：  Ｈ２＋１／２Ｏ２→Ｈ２Ｏ
本第１実施形態では燃料電池１０として固体高分子型燃料電池を用いており、基本単位となるセルが複数積層されて構成されている。図１に示す例では、燃料電池１０を構成するセルは左右方向に積層されている。通常、車両用等に用いられる燃料電池１０は、出力を稼ぐため数百枚のセルが積層されたスタック構造となっており、各セルは電解質膜が一対の電極で挟まれた構成となっている。燃料電池システムには、燃料電池１０の水素極（アノード）に水素ガスを供給するための水素供給装置（図示せず）と、燃料電池１０の酸素極（カソード極）に酸素（空気）を供給するための空気供給装置（図示せず）が設けられている。
【００３０】
燃料電池１０は発電に伴い発熱を生じる。このため、燃料電池システムには、作動温度が効率の良い温度（８０℃前後）となるように冷却システムが設けられている。冷却システムは、燃料電池１０の熱を熱媒体としての冷却液に伝達する熱交換器１００、冷却液を循環させる冷却液流路２０、冷却液を圧送する冷却液循環ポンプ（熱媒体循環手段）２１、冷却液の放熱を行うラジエータ２３等から構成されている。冷却液としては、低温時でも凍結しないようにエチレングリコールと純水の混合溶液を用いる。なお、熱交換器１００については後述する。なお、本発明の熱媒体流路は、冷却液流路２０、バイパス流路２６、暖房用流路２８から構成されている。
【００３１】
冷却液循環ポンプ２１は図示しないポンプ用モータと機械的に接続されており、ポンプ用モータを回転させることにより冷却液循環ポンプ２１を回転させて熱交換器１００に冷却液を循環させることができる。燃料電池１０で発生した熱は、冷却液を介してラジエータ（放熱器）２２で系外に排出される。
【００３２】
冷却ファン２３は冷却ファンモータ２４と機械的に接続されており、冷却ファンモータ２４を回転させることにより冷却ファン２３を回転させてラジエータ２２に送風し、ラジエータ２２より熱を外気に放出させることができる。なお、ラジエータ２２は車両走行時に走行風（ラム圧）を利用できる位置に搭載するのがのぞましい。
【００３３】
流路切替弁２５は、冷却液をラジエータ２２あるいはバイパス流路２６に流すように冷却液の流路を切り替えるものである。冷却液流路２０における燃料電池１０出口近傍には、燃料電池１０から流出した冷却液温度を検出する温度センサ２７が設けられている。流路切替弁２５は、温度センサ２７により検出した冷却液温度が所定の値より大きい場合はラジエータ２２側に冷却液が流れるようにし、逆に冷却液温度が所定の値より小さい場合はバイパス流路２６に冷却液が流れるよう制御することで温度制御を行っている。
【００３４】
このような冷却系によって、冷却液循環ポンプ２１による流量制御、冷却ファン２３による風量制御、流路切替弁２５によるバイパス制御で熱交換器１００に循環する冷却液の温度制御を行い、燃料電池１０の温度制御を行うことができる。さらに、流路切替弁２５は、冷却液をラジエータ２２およびバイパス流路２６の双方に流さないようにし、冷却液を後述の暖房用流路２８のみに流すように冷却液流路を切り替えることもできる。
【００３５】
また、本第１実施形態の燃料電池システムでは、燃料電池１の廃熱を利用して、車室内の暖房を行うことができる構成となっている。冷却液流路２０には、ラジエータ２２と並列に暖房用流路２８が設けられている。暖房用流路２８には、上流側から順にオンオフ弁２９、電気ヒータ（熱媒体加熱手段）３０、ヒータコア（室内暖房用熱交換器）３１が設けられている。車室内の暖房が必要な場合には、オンオフ弁２９を開きヒータコア３１に燃料電池１０の廃熱で加熱された冷却液を供給することで暖房する。図示しないファンによりヒータコア３１によって暖められた空気を車室内に導入することで車室内を暖房する。なお、電気ヒータ３０は、図示されていない二次電池に接続されており、二次電池を電源として発熱する。あるいは、燃料電池１０の運転中であれば発電電力を電源とすることもできる。
【００３６】
冷却液の温度が低い場合には、電気ヒータ３０によって冷却液を加熱することで、車室内暖房をアシストすることができる。本例では、加熱手段として電気ヒータ３０を用いているが、これに限定するものではなく、例えば水素を燃料とする触媒式燃焼ヒータを用いることもできる。この場合には、燃料電池１０の燃料である水素を用いることができる。さらに、燃料電池１０の暖機が必要な場合は、電気ヒータ３０にて加熱した冷却液を熱交換器１００に循環させることで、燃料電池１０の暖機を行うことができる。
【００３７】
次に、熱交換器１００について説明する。本第１実施形態の熱交換器１００は、燃料電池１０における対向する側面に配置された２つの熱交換器１０１、１０２を備えている。具体的には、燃料電池１０の上面側に設けられた上側熱交換器１０１、燃料電池１０の下面側に設けられた下側熱交換器１０２、連結パイプ１０５、フレキシブル配管１０６から構成されている。これらの各構成要素１０１、１０２、１０５、１０６はアルミニウム材料から構成されている。
【００３８】
各熱交換器１０１、１０２は、セル積層方向（図１の左右方向）と平行に、絶縁層としての絶縁シート１０３、１０４を介して燃料電池１０の側面に配置されている。各熱交換器１０１、１０２は、燃料電池１０を構成する各セルそれぞれに熱的に接触している。
【００３９】
各熱交換器１０１、１０２は、燃料電池１０の積層方向側面に取り付けられており、取付面には凹凸があると考えられるので、取付面への密着性を向上させるために絶縁シート１０３、１０４は柔軟性のある材料を用いることが好ましい。さらに、各熱交換器１０１、１０２での熱交換効率を高めるために、絶縁シート１０３、１０４は熱伝導率が大きいものを用いることが好ましい。そこで本第１実施形態では、絶縁シート１０３、１０４としてシリコーンを主材料とし、さらに熱伝導率を向上させるためにＡｌ２Ｏ３（アルミナ）、ＢＮ、ＳｉＣ等を混入したシリコーン系材料を用いている。また、絶縁シート１０３、１０４は、各熱交換器１０１、１０２と燃料電池１０との間の熱交換効率を高めるために、燃料電池１０の平面度から許される限り薄く形成している。
【００４０】
また、各熱交換器１０１、１０２における絶縁シート１０３、１０４と接触する面１０１ａ、１０２ａにはアルマイト処理が施され、絶縁膜が形成されている。これにより、本第１実施形態では、絶縁シート１０３、１０４および絶縁膜１０１ａ、１０２ａとで二重に絶縁膜が形成されることとなり、感電および漏電に対する安全性を向上させることができる。必要がなければ、絶縁膜１０１ａ、１０２ａは省略できる。また、絶縁膜はアルマイト処理でなくても、絶縁性のある樹脂を塗布することにより形成してもよい。
【００４１】
上側熱交換器１０１と下側熱交換器１０２は連結パイプ１０５によって連結され、それぞれの内部空間が連通している。連結パイプ１０５の途中には、フレキシブル配管１０６が設けられている。
【００４２】
本第１実施形態の熱交換器１００は、内部に封入した冷媒を沸騰させ潜熱として熱を吸収する沸騰冷却器である。沸騰冷却器は熱伝達率が高く、冷却性能に優れている。燃料電池１０を８０℃程度に保つには、熱交換器１００の冷媒が５０〜８０℃程度で沸騰するように設定することが望ましい。
【００４３】
熱交換器１００の内部には、その一部に冷媒が封入されている。本第１実施形態では、熱交換器１００内部を真空引きした後に、内部に冷媒として水を封入している。水は蒸発潜熱も大きく冷媒として性能が優れているだけでなく、自然冷媒であるので対環境性に優れている。なお、冷媒として水を用いた場合には低温環境下で凍結の問題があるが、凍結による熱交換器の破壊については構造で対応できる。また凍結した場合の冷却性能の低下については、冷却液が凍結している状態では、燃料電池１０の温度も低くなっているので冷却性能が低下していても問題ないと考えられる。なお、熱交換器１０１内部への冷媒（水）の封入量は、液面を燃料電池１０の上面よりも高くして、燃料電池１０全体が冷媒で覆われるようにする必要がある。本システムが車載される場合、路面の傾きによって、燃料電池１０が水平になるとは限らないので路面の傾きを考慮して冷媒を封入する必要がある。
【００４４】
上側熱交換器１０１の内部の上部には、凝縮器１０７が設置されている。凝縮器１０７の内部には、ラジエータ２２にて冷却された冷却液が冷却液流路２０を介して循環するように構成されている。燃料電池１０の発熱時（発電時）には、燃料電池１０と接触している上側熱交換器１０１あるいは下側熱交換器１０２で冷媒が沸騰して冷媒蒸気となり、冷媒が気化する際に燃料電池１０の熱を潜熱として吸収する。冷媒蒸気は凝縮器１０７の表面で冷却されて凝縮器１０７から落下し、熱交換器１００内の下部に溜まる。凝縮器１０７には、冷媒と冷却液との熱交換効率を高めるために、その内部あるいは外部にフィンを設けることが望ましい。
【００４５】
下側熱交換器１０２では、燃料電池１０と対向している内部上面側で冷却を行っている。このため、冷媒が沸騰した際に下側熱交換器１０２内で気泡が溜まると、その部分では沸騰冷却が行われなくなり燃料電池１０の温度が上昇してしまう。このため、本第１実施形態では、図１に示すように下側熱交換器１０２内部における燃料電池１０に対向する側、すなわち上面側に傾斜部１０２ｂを設けている。傾斜部１０２ｂは、中央部から周縁部に向けて上方に傾斜している。すなわち、傾斜部１０２ｂは、中央部が最も下方に位置している。下側熱交換器１０２の内部の上面にこのような傾斜部１０２ｂを設けることで、冷媒が沸騰した際、発生した気泡が抜けやすくなり、気泡が中央部に溜まるのを防ぐことができる。
【００４６】
また、燃料電池１０のセル積層方向の中央部は、側面部より熱が逃げにくいので高温になりやすい。このため、本第１実施形態では、熱交換器１００を燃料電池１０の中央部を優先的に冷却するように構成している。具体的には、各熱交換器１０１、１０２内部の燃料電池１０と対向する面において、燃料電池１０の中心付近に対応する部位の面粗度を他の部位より大きくしている。このように面粗度を大きくすることで沸騰開始加熱度を小さくでき、燃料電池１０のセル積層方向中央部を優先的に冷却することができる。面を荒くする方法としては、ショットブラスト加工などを用いることができる。
【００４７】
凝縮器１０７は、熱伝導部材１０８にて上側熱交換器１０１内部における燃料電池１０と対向する面（下側面）と連結されている。これにより、凝縮器１０７と上側熱交換器１０１の燃料電池１０と対向する面は、熱的に連結されることになる。熱伝導部材１０８としては、アルミニウムや銅といった熱伝導率の大きな材料を用いることが望ましい。
【００４８】
図２は、熱交換器１０１、１０２の燃料電池１０への組み付け構造を示す分解斜視図である。図２では、取付バンド１０９を１本のみ図示している。図２に示すように、燃料電池１０を絶縁シート１０３、１０４を介して上側熱交換器１０１および下側熱交換器１０２ではさみ込み、一対の取付バンド１０９によって密着させている。取付バンド１０９は、ボルト１０９ａとナット１０９ｂにて固定される。
【００４９】
燃料電池１０の発熱により下側熱交換器１０２で発生した気泡は、連結パイプ１０５、フレキシブル配管１０６を伝わり上側熱交換器１０１の内部にある凝縮器１０７（図１）にて凝縮する。連結パイプ１０５、フレキシブル配管１０６の内径については、気泡抜けを考慮して決定すればよい。熱交換器１０１、１０２の冷却性能を向上させるには、伝熱面積を大きくする必要がある。このため、燃料電池１０における熱交換器１０１、１０２と接触する面をできるだけ大きくすることが望ましい。また、燃料電池１０のセル面内の温度分布を小さくするためには、燃料電池１０における熱交換器１０１、１０２と接触する面同士ができるだけ近くなるようにすることが望ましい。したがって、燃料電池１０を構成する各セルにおいて、熱交換器１０１、１０２と接する辺の長さＢを長くするとともに、熱交換器１０１、１０２と接しない辺の長さＡを短くすることが望ましい。つまり、本発明の構成においては、燃料電池スタックの縦横比Ａ／Ｂをできる限り小さくしたほうが好ましい。
【００５０】
また、燃料電池１０は上側熱交換器１０１と下側熱交換器１０２の間に挟み込む構造としており、燃料電池１０と上側熱交換器１０１および下側熱交換器１０２は熱抵抗が大きくならないように密着させる必要がある。そこで、連結パイプ１０５にフレキシブル配管１０６を設けることで、上側熱交換器１０１と下側熱交換器１０２の間に燃料電池１０と絶縁シート１０３、１０４を組み付けるときに組み付けやすくでき、また取り付けバンド１０９を用いて密着させたときの変位を吸収することもできる。
【００５１】
また、図示を省略しているが、燃料電池システムの各部品は電子制御装置（ＥＣＵ）と電気的に接続されている。ＥＣＵには温度センサ２７等からのセンサ信号が入力するとともに、ＥＣＵは冷却液循環ポンプ２１、冷却ファンモータ２４、流路切替弁２５、オンオフ弁２９、電気ヒータ３０等に制御信号を出力する。
【００５２】
以下、本第１実施形態の燃料電池システムにおける燃料電池１０の冷却・暖機について説明する。
【００５３】
まず、本第１実施形態の燃料電池システムにおける燃料電池１０の冷却について説明する。燃料電池１０で発電に伴い発熱すると、各熱交換器１０１、１０２内の冷媒が沸騰して蒸気となる。冷媒蒸気は、凝縮器１０７の表面で凝縮して凝縮器１０７から落下し、熱交換器１００の下方に溜まる。熱交換器１００内の冷媒は、蒸発と凝縮を繰り返し、燃料電池１０の熱を冷却液流路２０を循環する冷却液に伝える。凝縮器１０７にて冷媒蒸気からの熱を受け取った冷却液は、ラジエータ２２にて冷却される。このように、燃料電池１０で発生した熱は、燃料電池１０のセル積層方向の側面から絶縁シート１０３、１０４を介して熱交換器１００内部の冷媒を介して冷却液に伝えられ、冷却液の熱はラジエータ２２にて大気に放出される。
【００５４】
次に、本第１実施形態の燃料電池システムでの燃料電池１０の暖機方法について説明する。燃料電池１０の暖機時には、流路切替弁２５によって冷却液が暖房用流路２８に流れるようにする。さらにオンオフ弁２９は開状態とするとともに、電気ヒータ３０に通電して冷却液を加熱する。冷却液ポンプ２０によって圧送された冷却液は、凝縮器１０７を通って、オンオフ弁２９、電気ヒータ３０、ヒータコア３１を順に通過し冷却液循環ポンプ２１に戻る。電気ヒータ３０で加熱された冷却液は凝縮器１０７の内部に導入される。凝縮器１０７から熱伝導部材１０８に熱が伝わって燃料電池１０の上面が加熱される。
【００５５】
連結パイプ１０５およびフレキシブル配管１０６の部分は配管であるので、熱抵抗が大きく凝縮器１０７からの熱が下側熱交換器１０２には伝わりにくい。したがって、燃料電池１０の特定の領域（上側熱交換器１０１に対向する部位）を優先的に加熱し、昇温させることができる。この部分的に加熱された領域を核として燃料電池１０の発電を開始する。燃料電池１０の発電開始後は、燃料電池１０の自己発熱を利用して、燃料電池１０全体を昇温させる。これにより、燃料電池１０全体を加熱する場合に比較して、燃料電池１０の起動時間を短縮することができる。
【００５６】
また、低温環境下で上側熱交換器１０１、下側熱交換器１０２、連結パイプ１０５、フレキシブル配管１０６の内部の冷媒が凍結している場合でも、燃料電池１０の加熱時は冷媒によらず凝縮器１０７から熱伝導部材１０８を介して直接熱伝導で加熱することができるので問題ない。
【００５７】
なお、本第１実施形態の構成では、上側熱交換器１０１を用いて燃料電池１０の一部加熱を行うことが望ましい。仮に、下側熱交換器１０２を用いて燃料電池１０の一部加熱を行う場合には、下側熱交換器１０２で沸騰した冷媒が上側熱交換器１０１に移動してしまい、燃料電池１０の特定領域のみを加熱することが難しくなるからである。
【００５８】
以上のように、燃料電池１０の側面より絶縁シート１０３、１０４を介して冷却を行うことで、各セルのセパレータに冷却流路を設ける必要がなく、セパレータに冷却液シール構造を設ける必要もない。これにより、燃料電池１０の構成を簡素にすることができる。また、各熱交換器１０１、１０２をセル積層方向と平行に燃料電池１０の側面に配置しているので、熱交換器１０１、１０２を介して各セルを均等に冷却あるいは加熱を行うことができる。
【００５９】
また、本第１実施形態の燃料電池システムの構成では、電極であるセパレータに直接冷却液が流れず、絶縁シート１０３、１０４によって、電極と冷却液とを絶縁できるので、感電や漏電のおそれがなく、冷却液の導電率を低く保つ必要がない。したがって、熱媒体として自動車用に使用されている通常の冷却液（ＬＬＣ）を使用することが可能となり、冷却液回路中にはイオン交換樹脂を取り付ける必要もない。このため、冷却液流路にイオン交換樹脂を設ける必要がなく、イオン交換樹脂の搭載スペースが不要となり、イオン交換樹脂の定期交換等のメンテナンスを行う必要もない。
【００６０】
さらに、従来技術のように各セルに冷却液を流す場合に比較して、凝縮器１０７の内部に冷却液を流すだけであるので圧力損失を大幅に低下できる。このため、冷却液循環ポンプ２１の消費電力を大幅に低減できるとともに、冷却液循環ポンプ２１を小型化できる利点がある。
【００６１】
さらに、複数の熱交換器１０１、１０２のうち特定の熱交換器１０１にのみ加熱手段により加熱された熱媒体を供給することで、簡素な構成で燃料電池１０の特定の領域を優先的に昇温させ、起動性を向上させることができる。
【００６２】
（第２実施形態）
次に、本発明の第２実施形態について図３に基づいて説明する。本第２実施形態は、上記第１実施形態に比較して、熱交換器の構成が異なるものである。
【００６３】
図３は、本第２実施形態の燃料電池システムの概略構成を示す概念図である。本第２実施形態の熱交換器２００は、上記第１実施形態の熱交換器１００のような沸騰冷却ではなく、熱媒体としての冷却液と燃料電池１０との間で直接熱交換するように構成されている。
【００６４】
本第２実施形態の熱交換器２００は、燃料電池１０の上面側に設けられた上側熱交換器２０１と、燃料電池１０の下面側に設けられた下側熱交換器２０２から構成されている。各熱交換器２０１、２０２は、セル積層方向（図１の左右方向）と平行に、絶縁シート２０３、２０４を介して燃料電池１０の側面に配置されている。各熱交換器２０１、２０２は、燃料電池１０を構成する各セルの端部に熱的に接触している。また、各熱交換器２０１、２０２における絶縁シート２０３、２０４と接触する面２０１ａ、２０２ａにはアルマイト処理が施され、絶縁膜が形成されている。
【００６５】
冷却液流路２０は熱交換器２００の上流側で分岐しており、冷却液が上側熱交換器２０１と下側熱交換器２０２の双方に流入するように構成されている。冷却液流路２０における下側熱交換器２０２の上流側にはオンオフ弁（熱媒体流路切替手段）３２が設けられている。オンオフ弁３２を開状態にした場合には冷却液が各熱交換器２０１、２０２に流入し、オンオフ弁３２を閉状態にした場合には冷却液が上側熱交換器２０１のみに流入する。
【００６６】
通常運転時において燃料電池１０を冷却する際には、オンオフ弁３２を開状態として、冷却液が各熱交換器２０１、２０２に流入するようにしておく。これにより、冷却液循環ポンプ２１にて圧送された冷却液は各熱交換器２０１、２０２に流入し、絶縁シート２０３、２０４を介して燃料電池１０から熱を受け取り、ラジエータ２２にて大気に放熱する。これにより、燃料電池１０の冷却を行うことができる。
【００６７】
また、燃料電池１０を暖機する際には、オンオフ弁３２を閉状態として、冷却液が上側熱交換器２０１のみに流入するようにしておく。そして、上記第１実施形態と同様、燃料電池１０の暖機時には、流路切替弁２５によって冷却液が暖房用流路２８に流れるようにする。さらにオンオフ弁２９は開状態とするとともに、電気ヒータ３０に通電して冷却液を加熱する。冷却液ポンプ２０によって圧送された冷却液は、凝縮器１０７を通って、オンオフ弁２９、電気ヒータ３０、ヒータコア３１を順に通過し冷却液循環ポンプ２１に戻る。電気ヒータ３０で加熱された冷却液は上側熱交換器２０１に導入される。これにより、燃料電池１０の特定の領域を加熱して昇温させることができる。
【００６８】
本第２実施形態の構成でも、上記第１実施形態と同様の効果を得ることができる。なお、本第２実施形態の構成では、燃料電池１０の一部加熱を行う際に、各熱交換器２０１、２０２のいずれを用いてもよい。また、オンオフ弁３２を開状態として、熱交換器２０１、２０２の両面から燃料電池１０を暖機することもできる。
【００６９】
（第３実施形態）
次に、本発明の第３実施形態について図４に基づいて説明する。本第３実施形態は、上記第１実施形態に比較して、熱交換器の構成が異なるものである。
【００７０】
図４は、本第３実施形態の燃料電池システムの概略構成を示す概念図である。図４に示すように、本第３実施形態では上側熱交換器１０１に電気ヒータ（熱交換器加熱手段）１１０が設けられている点が、上記第１実施形態と異なる。電気ヒータ１１０は、上側熱交換器１０１における燃料電池１０との反対側に設置されている。
【００７１】
上記第１実施形態では、暖房用流路２８に設けられた電気ヒータ３０により冷却液を加熱し、加熱された冷却液を用いて燃料電池１０を加熱した。これに対して、本第３実施形態では、燃料電池１０の暖機時に電気ヒータ１１０に通電して発熱させ、上側熱交換器１０１のケース部分（アルミニウム製）および絶縁シート１０３を介して、燃料電池１０の上面（特定の領域）のみを加熱することができる。このように本第３実施形態では、熱媒体としての冷却液を介さず、電気ヒータ１１０の熱を熱交換器１０１に伝え、燃料電池１０に伝えることができる。
【００７２】
また、上記第１実施形態の電気ヒータ３０にて加熱された冷却液による燃料電池１０の加熱と、本第３実施形態の電気ヒータ１１０による燃料電池１０の加熱を併用して行ってもよい。
【００７３】
（第４実施形態）
次に、本発明の第４実施形態について図５に基づいて説明する。本第４実施形態は、上記第１実施形態に比較して、熱交換器の凝縮手段が空冷により冷媒蒸気を冷却するように構成されている点が異なる。
【００７４】
図５は、本第４実施形態の燃料電池システムの概略構成を示す概念図である。図５に示すように、本第４実施形態の構成では、上記第１実施形態と異なり、冷却液循環ポンプ２１やラジエータ２２等の冷却液が循環する冷却回路をもたず、沸騰冷却器からなる熱交換器１００のみで燃料電池１０の冷却を行うシステムとなっている。このため、上記第１実施形態と比較して、より簡素なシステムとすることができる。
【００７５】
上側熱交換器１０１の上部には、ケース壁面の内側に内側フィン１０１ｂが設けられ、外側に外側フィン１０１ｃが設けられている。燃料電池１０は車体フレーム５０に固定されており、外側フィン１０１ｃは、ダクト５１を介して外気が導入されるように構成されている。ダクト５１には走行風が導入できるように構成することが望ましい。本第４実施形態では、内側フィン１０１ｂおよび外側フィン１０１ｃが凝縮手段を構成している。
【００７６】
燃料電池１０はケース５２の内部に設置されている。これにより、発電部分である燃料電池１０が直接外気にさらされゴミや雨が付着することを防止している。この場合、凝縮手段を構成するフィン１０１ｂ、１０１ｃは、ケース５２の外部に出るように構成している。
【００７７】
燃料電池１０で発電に伴い発熱すると、各熱交換器１０１、１０２内の冷媒が沸騰して蒸気となる。冷媒蒸気は、上側熱交換器１０１の内側フィン１０１ｂおよび外側フィン１０１ｃを介して外気と熱交換する。冷媒は内側フィン１０１ｃの表面で凝縮し、内側フィン１０１ｃから落下し、熱交換器１００の下方に溜まる。熱交換器１００内の冷媒は、蒸発と凝縮を繰り返し、燃料電池１０の熱を外気に放出する。
【００７８】
本第４実施形態の場合、燃料電池１０の温度制御はダクト５１に流れる風量を調整して行うことになる。そのため、必要に応じ、ダクト５１の途中に送風ファンを設置して燃料電池１０の冷却をアシストするように構成してもよいし、ダクト５１の途中に可動板を設置して風量を制御できるように構成してもよい。
【００７９】
（第５実施形態）
次に、本発明の第５実施形態について図６に基づいて説明する。本第５実施形態は、上記第１実施形態に比較して、熱交換器に代えて加熱手段を設けている点が異なるものである。
【００８０】
図６は、本第５実施形態の燃料電池システムの概略構成を示す概念図である。図６では、燃料電池１０の冷却系の図示を省略している。図６に示すように、本第５実施形態では、燃料電池１０のセル積層方向の側面に絶縁膜３０３、３０４を介して電気ヒータ（燃料電池加熱手段）３００を設けている。本例の電気ヒータ３００は、燃料電池１０の２つの側面に２個の電気ヒータ３０１、３０２を設けている。燃料電池１０を加熱する際には、電気ヒータ３００に通電することで、電気ヒータ３００で発生した熱が絶縁シート３０３、３０４を介して燃料電池１０に直接伝わり、燃料電池１０を加熱することができる。また、２個の電気ヒータ３０１、３０２のいずれかのみに通電すれば、燃料電池１０の特定の領域のみを加熱することができる。
【００８１】
このような構成とした場合、電気ヒータ３００と燃料電池１０との間でショートを防止できるといった効果がある。なお、電気ヒータ３００は１個だけ設けてもよく、複数でもよい。
【００８２】
（他の実施形態）
なお、上記各実施形態では、燃料電池として固体高分子型燃料電池を用いたが、これに限らず、本発明は他の種類の燃料電池を用いた燃料電池システムにも適用可能である。例えばリン酸型燃料電池においては、各セルのセパレータに配管を埋め込んで沸騰冷却を行うことが知られているが、配管を埋め込む必要があるので体格が大きくなるという問題があるが、本発明の構成では各セルに配管を設置していないので、このような問題を回避できる。
【００８３】
また、熱交換器として沸騰冷却器を用いる場合、沸騰冷却器に封入する冷媒は水に代えてフロン（ＨＦＣ−１３４ａ）を用いることもできる。
【００８４】
また、上記各実施形態では、燃料電池１０に絶縁シートを介して２個の熱交換器を設けたが、これに限らず、熱交換器は１個でもよく、３個以上設けてもよい。
【００８５】
また、燃料電池１０の側面から冷却する場合、各セパレータに冷却液を循環させる構成に比べて、燃料電池全体を均一に冷却することが難しく、電流密度に分布が生じやすい。この為に温度分布がつきやすいので、固体高分子膜としてより耐熱温度が高い高温膜を用いることが望ましい。
【図面の簡単な説明】
【００８６】
【図１】第１実施形態の燃料電池システムの概略構成を示す概念図である。
【図２】熱交換器の燃料電池への組み付け構造を示す分解斜視図である。
【図３】第２実施形態の燃料電池システムの概略構成を示す概念図である。
【図４】第３実施形態の燃料電池システムの概略構成を示す概念図である。
【図５】第４実施形態の燃料電池システムの概略構成を示す概念図である。
【図６】第５実施形態の燃料電池システムの概略構成を示す概念図である。
【符号の説明】
【００８７】
１０…燃料電池、２０…冷却液流路、２１…冷却液循環ポンプ、２２…ラジエータ（放熱器）、２３…冷却ファン、３０…電気ヒータ（熱媒体加熱手段）、１００、２００…熱交換器、１０１、２０１…上側熱交換器、１０２、２０２…下側熱交換器、１０３、１０４、２０３、２０４、３０３、３０４…絶縁シート（絶縁層）、１０５…連結パイプ、１０６…フレキシブル配管、１１０…電気ヒータ（熱交換器加熱手段）、３００…電気ヒータ（燃料電池加熱手段）。
【図１】
2005123073.tif 000003
【図２】
2005123073.tif 000004
【図３】
2005123073.tif 000005
【図４】
2005123073.tif 000006
【図５】
2005123073.tif 000007
【図６】
2005123073.tif 000008